(57)【要約】      （修正有）【課題】前ガードの着脱を容易に行うことができると共に、衣服等を引っ掛けにくい扇風機を提供する。【解決手段】頭部と、軸流ファンと、前記頭部に取り付けられて前記軸流ファンの後方を覆う後ガード１１と、この後ガード１１に取り付けられて前記軸流ファンの前方を覆う前ガード１２とを有する扇風機であって、前記前ガード１２に設けられた短筒状の枠体２３に、前記後ガード１１の台輪１３に外側から係合する可動フック部２７を設け、この可動フック部２７を、後端側に爪部３１及び指掛け部３３を有する可動フック２８と、この可動フック２８の後端側を前記枠体２３の内側に付勢する付勢手段としての圧縮コイルバネ３０とを有して構成することで、前記枠体２３に掌を当てて前記指掛け部３３に指を掛け、前記可動フック２８を外側に引きながら前記枠体２３を前方に引くことで、前記前ガード１２を取り外すことができる。【選択図】図４
0003167138.tif 000002
【実用新案登録請求の範囲】
【請求項１】
頭部と、
軸流ファンと、
前記頭部に取り付けられると共に前記軸流ファンの後方を覆う後ガードと、
この後ガードに取り付けられると共に前記軸流ファンの前方を覆う前ガードとを有して構成される扇風機において、
前記前ガードに短筒状の枠体を設け、
この枠体に、前記後ガードの台輪に外側から係合する可動フック部を設けると共に、
この可動フック部が、後端側に爪部及び指掛け部を有する可動フックと、
この可動フックの後端側を前記枠体の内側に付勢する付勢手段とを有して構成されることを特徴とする扇風機。
【請求項２】
前記枠体の上半部に固定フックを設けると共に、前記枠体の下半部に前記フック部を設けたことを特徴とする請求項１記載の扇風機。
【請求項３】
前記枠体に凹部を設け、この凹部に前記可動フック部を設けると共に、前記可動フックの外面を、前記枠体の外面とほぼ面一としたことを特徴とする請求項１記載の扇風機。
【請求項４】
前記爪部に傾斜部を設けると共に、この傾斜部を前記指掛け部としたことを特徴とする請求項１記載の扇風機。
【考案の詳細な説明】
【技術分野】
【０００１】
本考案は、扇風機に関するものであり、特に、軸流ファンを囲むガードの取付構造に関するものである。
【背景技術】
【０００２】
従来、この種の扇風機としては、送風羽根（本願考案の軸流ファンに相当する）と、その前後を覆う前ガード及び後ガードにより構成されるガードとを有し、前記前ガードの台輪に装着された合成樹脂製のリング体を、前記後ガードの台輪に嵌合し、前記リング体に設けられたクリップを後ガードに近付く方向に操作して前記後ガードの台輪に係止するものが知られている（例えば、特許文献１参照。）。また、環状の固定ホルダーと、二つのファンカバー（本願考案の前ガード及び後ガードに相当する）とを有し、前記固定ホルダーに、弾性部材によって付勢されるロック部材を設けると共に、各ファンカバーの接続環と前記ロック部材のファスナーとの係合を、前記ロック部材に設けられたボタンを押すことで解除し、各ファンカバーを取り外すことができるようにしたものも知られている（例えば、特許文献２参照。）。
【先行技術文献】
【特許文献】
【０００３】
【特許文献１】特許第４４８８６０９号公報
【特許文献２】実用新案登録第３１５７１１９号公報
【考案の概要】
【考案が解決しようとする課題】
【０００４】
しかしながら、前者のような扇風機は、前記後ガードに前ガードを取り付けるために、手動で前記クリップを前記後ガードの台輪に係合させる必要があるため、取り付けが面倒であった。特に、前記クリップを係合する際、前記クリップを弾性変形させる必要があるため、係合動作が固いという問題もあった。更に、前者のような扇風機は、前記クリップが前記リング体の外周から突出するため、前記クリップに衣服等を引っ掛けてしまう虞もあった。
【０００５】
一方、後者のような扇風機は、前記固定ホルダーに前記ファンカバーを取り付ける際、このファンカバーを前記固定ホルダーに押し付けるだけで、前記ロック部材が前記弾性部材の付勢力に抗して動くので、前記ロック部材のファスナーと前記接続環とを容易に係合させることができる。しかしながら、後者のような扇風機は、一方の手で前記ロック部材に設けられたボタンを押しながら、他方の手で前記ファンカバーを取り外す必要があるため、前記ファンカバーの取り外しが容易ではないという問題があった。特に、前記ファンカバーが金属線材によって形成されている場合、片手では前記ファンカバーを保持しにくいので、この問題は顕著であった。
【０００６】
本考案は以上の問題点を解決し、前ガードの着脱を容易に行うことができると共に、衣服等を引っ掛けにくい扇風機を提供することを目的とする。
【課題を解決するための手段】
【０００７】
本考案の請求項１に記載の扇風機は、頭部と、軸流ファンと、前記頭部に取り付けられると共に前記軸流ファンの後方を覆う後ガードと、この後ガードに取り付けられると共に前記軸流ファンの前方を覆う前ガードとを有して構成される扇風機において、前記前ガードに短筒状の枠体を設け、この枠体に、前記後ガードの台輪に外側から係合する可動フック部を設けると共に、この可動フック部が、後端側に爪部及び指掛け部を有する可動フックと、この可動フックの後端側を前記枠体の内側に付勢する付勢手段とを有して構成されるものである。
【０００８】
また、本考案の請求項２に記載の扇風機は、請求項１において、前記枠体の上半部に固定フックを設けると共に、前記枠体の下半部に前記フック部を設けたものである。
【０００９】
また、本考案の請求項３に記載の扇風機は、請求項１において、前記枠体に凹部を設け、この凹部に前記可動フック部を設けると共に、前記可動フックの外面を、前記枠体の外面とほぼ面一としたものである。
【００１０】
更に、本考案の請求項４に記載の扇風機は、請求項１において、前記爪部に傾斜部を設けると共に、この傾斜部を前記指掛け部としたものである。
【考案の効果】
【００１１】
本考案の請求項１に記載の扇風機は、以上のように構成することにより、前記枠体に掌を当てた状態で前記可動フックの指掛け部に指を掛け、この指によって、前記可動フックの後端側を前記付勢手段の付勢力に抗して外側に引っ張ることで、前記爪部と前記後ガードの台輪との係合が解除される。この状態で、前記前ガードは、使用者の掌によって保持されているので、そのまま前方に引くことで、容易に取り外される。
【００１２】
なお、前記枠体の上半部に固定フックを設け、前記枠体の下半部に前記フック部を設けることにより、前記前ガードを取り外す際に、この前ガードが掌によって確実に保持されるので、前記前ガードを落下させる虞を減ずることができる。
【００１３】
また、前記枠体に凹部を設け、この凹部に前記可動フック部を設けると共に、前記可動フックの外面を、前記枠体の外面とほぼ面一とすることで、前記可動フックに衣服等が引っ掛かりにくくすることができる。
【００１４】
更に、前記爪部に傾斜部を設けると共に、この傾斜部を前記指掛け部としたことで、前記前ガードを後方に押すだけで、前記爪部と台輪とを係合させることができるばかりでなく、前記可動フックの後方への突出量を最小限として、衣服等が引っ掛かりにくくすることができる。
【図面の簡単な説明】
【００１５】
【図１】本考案の一実施例を示す扇風機の正面図である。
【図２】同、背面図である。
【図３】同、固定フック周辺の拡大断面図である。
【図４】同、可動フック周辺の拡大断面図である。
【図５】同、可動フックを動かした状態における可動フック周辺の拡大断面図である。
【考案を実施するための形態】
【００１６】
以下、本考案の実施形態について、図１乃至図５に基づいて説明する。１は本考案の扇風機である。この扇風機１は、基部２と、支柱３と、スライドパイプ４と、ジョイント部５と、頭部６と、軸流ファン７と、ガード８とを有して構成される。前記基部２には、図示しない操作部が設けられる。また、前記支柱部３は、前記基部２に取り付けられる。そして、前記スライドパイプ４は、前記支柱部３に取り付けられる。なお、前記スライドパイプ４は、上下方向に移動可能である。また、前記スライドパイプ４の上端には、前記ジョイント部５の下端が接続されると共に、このジョイント部５の上端に前記頭部６が接続される。即ち、前記スライドパイプ４と頭部６は、前記ジョイント部５を介して接続される。このジョイント部５は、前記頭部６の仰角を調節するための第一ジョイント９と、前記頭部６の左右方向の向きを調節するための第二ジョイント１０とを有する。また、前記頭部６内には、ファン用電動機及び首振り用電動機（何れも図示せず）が設けられる。また、前記ファン用電動機の回転軸には、前記軸流ファン７が取り付けられる。そして、この軸流ファン７の外側を覆うように、前記ガード８が設けられる。
【００１７】
このガード８について詳述する。このガード８は、後ガード１１と前ガード１２とを有して構成される。前記後ガード１１は、前記軸流ファン７の後方を覆うように設けられると共に、前記前ガード１２は、前記軸流ファン７の前方を覆うように設けられる。なお、前記後ガード１１は、前記頭部６の前部に取り付けられると共に、前記前ガード１２は、前記後ガード１１に取り付けられる。
【００１８】
前記後ガード１１は、円環状の台輪１３と、この台輪１３の上部後方に設けられる位置決め部１４と、複数の放射状線材１５と、補強輪１６と、ハンドル１７とを有して一体的に構成される。なお、これらの台輪１３、位置決め部１４、放射状線材１５、補強輪１６及びハンドル１７は、金属線材によって構成される。前記台輪１３は、金属線材を円環状に曲げて形成される。また、前記位置決め部１４は、金属線材を円弧状に曲げて形成される。なお、前記台輪１３の半径と前記位置決め部１４の曲率半径は等しい。また、前記台輪１３を構成する線材の太さは、前記位置決め部１４を構成する線材の太さと等しい。また、前記補強輪１６及びハンドル１７を構成する線材の太さは、前記台輪１３及び位置決め部１４を構成する線材の太さよりも細い。更に、前記放射状線材１５を構成する線材の太さは、前記補強輪１６及びハンドル１７を構成する線材の太さよりも細い。
【００１９】
前記前ガード１２は、円環状の台輪１８及び内輪１９と複数の放射状線材２０とを有して構成される外ガード２１と、前記内輪１９の内側に設けられる内ガード２２と、前記台輪１８に外嵌する短円筒状の枠体２３とを有して構成される。なお、前記台輪１８、内輪１９及び放射状線材２０は、それぞれ金属線材によって構成される。そして、前記外ガード２１は、前記台輪１８、内輪１９及び放射状線材２０によって一体的に構成される。前記台輪１８及び内輪１９は、それぞれ金属線材を円環状に曲げて形成される。また、前記放射状線材２０は、前記台輪１８と内輪１９を接続するように設けられる。また、前記台輪１８を構成する線材の太さは、前記内輪１９を構成する線材の太さと等しい。一方、前記放射状線材２０を構成する線材の太さは、前記台輪１８及び内輪１９を構成する線材の太さよりも細い。また、前記内ガード２２は、合成樹脂によって形成される。そして、この内ガード２２は、その外周部が前記内輪１９に嵌合する。更に、前記枠体２３は、合成樹脂によって形成されると共に、その前端部が前記台輪１８に外嵌する。また、前記枠体２３は、その後端部の上部に、前記後ガード１１の台輪１３に掛けられる一対の固定フック２４を有する。なお、これらの固定フック２４の間隔は、前記後ガード１１に設けられた位置決め部１４の幅よりもやや広い程度である。また、前記枠体２３は、その側面に複数の通気口２５を有する。更に、前記枠体２３は、その側面の下半部に一対の凹部２６を有する。そして、これらの凹部２６には、それぞれ可動フック部２７が設けられる。
【００２０】
前記可動フック部２７は、可動フック２８と、取付部２９と、付勢手段としての圧縮コイルバネ３０とを有して構成される。前記可動フック２８は、その後端側に爪部３１を有する。そして、この爪部３１の後部は傾斜部３２となっており、この傾斜部３２が指掛け部３３となる。前記取付部２９は、前記可動フック２８に固定されると共に、回動軸３４を有する。そして、この回動軸３４によって、前記可動フック２８は前記枠体２３に軸支される。更に、前記圧縮コイルバネ３０は、前記凹部２６と可動フック２８との間に挟持される。そして、前記圧縮コイルバネ３０は、前記回動軸３４を挟んで、前記爪部３１の反対側に位置する。従って、前記可動フック２８は、前記圧縮コイルバネ３０によって、前記爪部３１が設けられた後端側が、前記後ガード１１の台輪１３側、即ち前記枠体２３の内側に付勢される。なお、前記可動フック２８の外面は、前記凹部２６に取り付けられた状態において、前記枠体２３の外面とほぼ面一となる。
【００２１】
なお、前記前ガード１２の台輪１８の半径は、前記後ガード１１の台輪１３の半径と等しい。また、前記前ガード１２の台輪１８を構成する線材の太さは、前記後ガード１１の台輪１３を構成する線材の太さと等しい。また前記放射状線材２０を構成する線材の太さは、前記放射状線材１５を構成する線材の太さと等しい。更に、前記放射状線材２０のピッチ及び本数は、前記放射状線材１５のピッチ及び本数と等しい。
【００２２】
次に、本実施形態の作用について説明する。前記前ガード１２を前記後ガード１１に取り付ける場合、前記前ガード１２の枠体２３に設けられた前記固定フック２４を、前記後ガード１１の台輪１３に掛ける。この際、一対の前記固定フック２４が、前記位置決め部１４を挟むようにする。この状態から、前記枠体２３の下部を前記後ガード１１の台輪１３に押し付けると、前記可動フック２８の爪部３１の傾斜部３２が、前記台輪１３に当接する。そして、このまま前記枠体２３の下部を後方に押すと、前記傾斜部３２が摺動する際に、前記台輪１３に押されることで、前記可動フック２８の後端側が、前記圧縮コイルバネ３０の付勢力に抗して外側に移動する。更に前記枠体２３の下部を後方に押すと、前記爪部３１が前記台輪１３を乗り越え、前記可動フック２８の後端側が、前記圧縮コイルバネ３０の付勢力によって、前記台輪１３側、即ち前記枠体２３の内側に移動する。これによって、前記可動フック２８の爪部３１は、前記後ガード１１の台輪１３と係合する。即ち、前記後ガード１１の台輪１３に前記前ガード１２の枠体２３の固定フック２４を掛けた後、前記枠体２３の下部を前記台輪１３に押し付けるという動作だけで、容易に前記前ガード１２を後ガード１１に取り付けることができる。
【００２３】
このように、前記前ガード１２が前記後ガード１１に取り付けられた状態において、前述したように、前記可動フック２８の外面が前記枠体２３の外面から突出せず、ほぼ面一となるので、前記可動フック２８の外面に衣服等を引っ掛けにくい。また、前記傾斜部３２を指掛け部３３としたことで、前記可動フック２８の後方への突出量を最小限に抑えることができるので、前記指掛け部３３にも衣服等を引っ掛けにくい。
【００２４】
次に、前記前ガード１２を前記後ガード１１から取り外す場合、前記枠体２３の下半部に設けられた一対の前記可動フック部２７にそれぞれ掌を当てると共に、前記可動フック２８の指掛け部３３に指を掛ける。そして、この指によって、前記可動フック２８の後端側を前記圧縮コイルバネ３０の付勢力に抗して外側に引く。この際、前記爪部３１と前記後ガード１１の台輪１３との係合が解かれる。そして、このまま前記枠体２３の下部を前方に引いた後、この枠体２３に設けられた前記固定フック２４を、前記後ガード１１の台輪１３から取り外す。これによって、前記前ガード１２が前記後ガード１１から取り外される。なお、この間、前記前ガード１２は、前記可動フック部２７に当てられた掌によって下方から保持され続けるので、落下しにくい。このように、一連の動作によって、前記可動フック２８の爪部３１と前記後ガード１１の台輪１３との係合を解除した後、前記前ガード１２を後ガード１１から取り外すことができるので、容易に前記前ガード１２を前記後ガード１１から取り外すことができる。
【００２５】
以上のように、本考案の扇風機１は、頭部６と、軸流ファン７と、前記頭部６に取り付けられると共に前記軸流ファン７の後方を覆う後ガード１１と、この後ガード１１に取り付けられると共に前記軸流ファン７の前方を覆う前ガード１２とを有して構成されるものであり、前記前ガード１２に短筒状の枠体２３を設け、この枠体２３に、前記後ガード１１の台輪１３に外側から係合する可動フック部２７を設けると共に、この可動フック部２７を、後端側に爪部３１及び指掛け部３３を有する可動フック２８と、この可動フック２８の後端側を前記枠体２３の内側に付勢する付勢手段としての圧縮コイルバネ３０とを有して構成することで、前記枠体２３に掌を当てて前記可動フック２８の指掛け部３３に指を掛け、この指で前記可動フック２８の後端側を前記圧縮コイルバネ３０の付勢力に抗して外側に引くことで、前記爪部３１と前記後ガード１１の台輪１３との係合を解除し、そのまま前方に引くことで、前記前ガード１２を使用者の掌によって保持しながら、容易に取り外すことができるものである。
【００２６】
また、本考案の扇風機１は、前記枠体２３の上半部に固定フック２４を設け、前記枠体２３の下半部に前記フック部２７を設けることにより、前記前ガード１２を取り外す際に、この前ガード１２が掌によって確実に保持されるので、前記前ガード１２を落下させる虞を減ずることができるものである。
【００２７】
また、本考案の扇風機１は、前記枠体２３に凹部２６を設け、この凹部２６に前記可動フック部２７を設けると共に、前記可動フック２８の外面を、前記枠体２３の外面とほぼ面一とすることで、前記可動フック２８の外面に衣服等が引っ掛かりにくくすることができるものである。
【００２８】
更に、本考案の扇風機１は、前記爪部３１に傾斜部３２を設けると共に、この傾斜部３２を前記指掛け部３３としたことで、前記前ガード１２を後方に押すだけで、前記爪部３１と台輪１３とを係合させることができるばかりでなく、前記可動フック２８の後方への突出量を最小限として、前記指掛け部３３に衣服等が引っ掛かりにくくすることができるものである。
【００２９】
なお、本考案は以上の実施形態に限定されるものではなく、考案の要旨の範囲内で種々の変形実施が可能である。例えば、上記実施形態では、可動フックを枠体に二箇所設けたが、一箇所であってもよい。また、上記実施形態では、付勢手段として圧縮コイルバネを用いたが、これ以外の手段、例えば、捻りコイルバネ等を用いてもよい。
【符号の説明】
【００３０】
１  扇風機
６  頭部
７  軸流ファン
１１  後ガード
１２  前ガード
１３  台輪
２３  枠体
２４  固定フック
２６  凹部
２７  可動フック部
２８  可動フック
３０  圧縮コイルバネ（付勢手段）
３１  爪部
３２  傾斜部
３３  指掛け部
【図１】
0003167138.tif 000003
【図２】
0003167138.tif 000004
【図３】
0003167138.tif 000005
【図４】
0003167138.tif 000006
【図５】
0003167138.tif 000007